【手続補正書】
【提出日】平成16年11月22日(2004.11.22)
【手続補正１】
【補正対象書類名】特許請求の範囲
【補正対象項目名】全文
【補正方法】変更
【補正の内容】
【特許請求の範囲】
【請求項１】
遠隔地への電気通信リンクを確立し、そこからワイヤレスマークアップ言語（ＷＭＬ）によって表わされた情報を含む情報データを取出すためのモデムを含むテレビ受信器であって、テレビ受信器は前記情報データから引出された表示データを出力するように配置されており、前記表示データは、少なくとも表示される対話形画像の一部分を表わす、テレビ受信器。
【請求項２】
ＷＭＬに基づくページを表示し、ＷＭＬスクリプトに基づくコマンドを実行するためのブラウザを含む、請求項１に記載のテレビ受信器。
【請求項３】
前記情報データは、拡張されたＷＭＬ文書型定義（ＤＴＤ）に従って表わされた情報を含み、ＷＭＬ  ＤＴＤは拡張され、ＷＭＬの予め定められた要素に関連した追加のレイアウトおよび／または機能属性を表わす、請求項１または２に記載のテレビ受信器。
【請求項４】
視聴者による各々が多数の予め定められた色のうちの１つと関連した多数のキーを含む入力装置の操作に応答し、ＷＭＬ  ＤＴＤは拡張されて、前記対話形画像において表示される視聴者選択可能アイテムの表現をサポートし、前記アイテムの各々は前記色のうちの１つで表わされて、視聴者による前記予め定められた色のうちの１つに関連した前記キーのうちの１つの操作によって、前記１つの予め定められた色で表わされるアイテムの選択が行なわれる、請求項１から３のいずれかに記載のテレビ受信器。
【請求項５】
前記情報データはコンパイルされた形で情報を表わし、テレビ受信器はさらに、情報を逆コンパイルするための処理手段を含む、請求項１から４のいずれかに記載のテレビ受信器。
【請求項６】
画像データおよび情報データを表わす信号を受信するためのテレビ受信器であって、前記情報データは、表示される対話形画像を表わし、対話形画像の構成を定義するメタレベルの情報を表わすメタデータを含み、受信器は前記メタレベルの情報に従って構成された前記対話形画像を表わす信号を生成するための処理手段を含む、テレビ受信器。
【請求項７】
前記情報データは放送信号によって表わされる、請求項６に記載のテレビ受信器。
【請求項８】
遠隔地への電気通信リンクを確立するためのモデムと、前記遠隔地からの前記情報データをダウンロードするためのブラウザとをさらに含む、請求項６に記載のテレビ受信器。
【請求項９】
前記構成は前記対話形画像のレイアウトを含む、請求項６から８のいずれかに記載のテレビ受信器。
【請求項１０】
前記対話形画像は各々サービスに関連した多数の視聴者選択可能アイテムを含み、前記構成はサービス情報の前記アイテムとの関連付けを含む、請求項６から９のいずれかに記載のテレビ受信器。
【請求項１１】
画像データおよび情報データを表わす信号を受信し、表示のための対話形画像を表わすデータを出力するためのテレビ受信器であって、対話形画像は、各々がサービスに関連した多数の視聴者選択可能アイテムを含み、受信器は、視聴者による前記アイテムのうちの１つを選択するための入力装置の操作に応答して、選択されたアイテムに関連したサービスを与えるようにし、前記アイテムの各々はそれに関連したサービスを一意に識別するキーと関連し、ユーザによるアイテムの選択は、選択されたサービスに関連したキーを入力装置に入力することによって有効になる、テレビ受信器。
【請求項１２】
キーは多数の文字および／または数字を含むキーワードである、請求項１１に記載のテレビ受信器。
【請求項１３】
キーワードはそれと関連するサービスを記述した請求項１２に記載のテレビ受信器。
【請求項１４】
入力装置は数字のキーボードを含み、数字のキーボードの各々の数字は複数の文字に対応し、アイテムの選択はキーワードの文字および／または数字に対応する数字を数字のキーボードに入力することによって有効になる、請求項１２または１３に記載のテレビ受信器。
【請求項１５】
画像データおよび第１の情報データを表わすテレビ放送信号を受信するためのテレビ受信器であって、受信器は遠隔地への電気通信リンクを確立し、第２の情報データをダウンロードするためのモデムを含み、受信器は前記第１のおよび／または第２の情報データから引出され、表示される対話形画像を表わすデータを出力するように配置されており、視聴者による対話型画像からのサービスを選択するための入力装置の操作に応答して、サービスに関するデータが前記第１の情報データに含まれているか否かを判定し、その判定次第で、前記遠隔地への電気通信リンクを確立して、選択されたサービスに関する情報データをそこからダウンロードする、テレビ放送信号を受信するためのテレビ受信器。
【請求項１６】
テレビ受信器を遠隔地に接続するためにサーバを動作させる方法であって、
遠隔地と接続するためのテレビ受信器からの要求を受信するステップと、
要求がそのような要求を行なうことを許可されたテレビ受信器から発しているものか否かを判定することによって要求を認証するステップと、
テレビ受信器による遠隔地へのアクセスが利用可能か否かを判定することによって要求を許可するステップと、
要求を遠隔地へ転送するステップと、
遠隔地からの応答を受信するステップと、
応答をテレビ受信器に送信するステップとを含む、テレビ受信器を遠隔地に接続するためにサーバを動作させる方法。
【請求項１７】
前記要求を認証するステップは、
テレビ受信器からテレビ受信器を動作させるために使用されるスマートカードに関連したスマートカードＩＤを受信するステップと、
データベースにアクセスして、スマートカードＩＤに基づいて加入者ＩＤを決定するステップと、
認証が完了したことを表示する信号を生成するステップとを含む、請求項１６に記載の方法。
【請求項１８】
前記要求を認証するステップはさらに、
セキュリティキーをテレビ受信器との接続に割当てるステップと、
セキュリティキーをテレビ受信器に送信するステップと、
接続の間に使用されるセキュリティキーをデータベースに記憶するステップとを含む、請求項１７に記載の方法。
【請求項１９】
セキュリティキーは接続が終了した後にデータベースから除去される、請求項１８に記載の方法。
【請求項２０】
スマートカードおよび加入者ＩＤを要求に追加した後で、要求を遠隔地に転送するステップをさらに含む、請求項１７から１９のいずれかに記載の方法。
【請求項２１】
遠隔地からの応答を処理して、応答をテレビ受信器によってサポートされる予め定められたフォーマットに変換した後で、応答をテレビ受信器に送信するステップをさらに含む、請求項１６から２０のいずれかに記載の方法。
【請求項２２】
要求を解読した後で、要求を遠隔地に転送するステップと、
遠隔地からの応答を暗号化した後で、応答をテレビ受信器に送信するステップとをさらに含む、請求項１６から２１のいずれかに記載の方法。
【請求項２３】
応答をコンパイルした後で、応答をテレビ受信器に送信するステップをさらに含む、請求項１６から２２のいずれかに記載の方法。
【請求項２４】
テレビ受信器からの要求はコンパイルされた形であり、前記方法はさらに、
要求を逆コンパイルした後で、要求を遠隔地に転送するステップを含む、請求項１６から２３のいずれかに記載の方法。
【請求項２５】
テレビ受信器からの要求およびテレビ受信器への応答はハイパーテキストトランスファープロトコル（ＨＴＴＰ）に基づく、請求項１６から２４のいずれかに記載の方法。
【請求項２６】
テレビ受信器からの要求およびテレビ受信器への応答はＷＭＬフォーマットである、請求項１６から２５のいずれかに記載の方法。
【請求項２７】
請求項１６から２６のいずれかに記載の方法を実施するように配置されたサーバ。